【手続補正書】
【提出日】平成21年5月16日(2009.5.16)
【手続補正１】
【補正対象書類名】特許請求の範囲
【補正対象項目名】全文
【補正方法】変更
【補正の内容】
【特許請求の範囲】
【請求項１】
経皮的磁気刺激装置であって、
十分な強度の磁場を生成して生体組織を刺激するためのコイルと、
前記コイルに連結され且つ当該コイルを実質的に取り囲むチャンバーであって、前記磁場に曝されると磁気対流が生じる強磁性流体を含むものである、前記チャンバーと、
前記チャンバーに連結されて前記強磁性流体を冷却するための熱交換部と
を有する経皮的磁気刺激装置。
【請求項２】
請求項１記載の装置において、前記チャンバーは、前記コイルと前記熱交換部との間で前記強磁性流体の熱対流および磁気対流を促進するよう構成されているものである。
【請求項３】
請求項１記載の装置において、前記熱交換部はヒートシンクである。
【請求項４】
請求項１記載の装置において、前記コイルは強磁性コアを有するものである。
【請求項５】
請求項１記載の装置において、前記コイルは空芯を有するものである。
【請求項６】
請求項１記載の装置において、当該装置は、経頭蓋磁気刺激または磁気発作治療に関連
してヒトの脳組織を刺激するものである。
【請求項７】
請求項１記載の装置において、前記チャンバーは前記コイルを実質的に取り囲んで、当
該コイルの騒音発生領域を実質的に包囲するものである。
【請求項８】
請求項７記載の装置において、前記強磁性流体は剪断音波の伝達を妨げるものである。
【請求項９】
請求項７記載の装置において、前記チャンバー内に含まれる前記強磁性流体および前記経頭蓋磁気装置は第１の騒音減衰接触面を形成するものである。
【請求項１０】
請求項７記載の装置において、前記チャンバー内に含まれる前記強磁性流体および前記熱交換部は第２の騒音減衰接触面を形成するものである。
【請求項１１】
請求項１記載の装置において、前記磁場は第１の磁場であり、この装置は第２の磁場を生成する永久磁石をさらに有し、前記強磁性流体は前記第２の磁場に曝されると磁気対流を生じるものである。
【請求項１２】
請求項１記載の装置において、この装置は、さらに、
前記コイルと前記熱交換部との間で前記強磁性流体を循環させるポンプ機構を有するものである。
【請求項１３】
請求項１２記載の装置において、前記ポンプ機構は、前記磁場の存在下でパルス磁場により作動して前記強磁性流体を第１の方向に循環させるものである。
【請求項１４】
請求項１３記載の装置において、この装置は、さらに、
前記強磁性流体が第２の方向に循環するのを防ぐバルブを有するものである。
【請求項１５】
強磁性流体チャンバーであって、
生体組織を刺激する上で十分な強度の磁場を生成する構成材に連結されるようなっているハウジングと、
前記構成材を冷却するために前記ハウジング内に提供された強磁性流体とを有する強磁性流体チャンバー。
【請求項１６】
請求項１５記載のチャンバーにおいて、前記ハウジングは、さらに、前記磁場の存在下で前記強磁性流体の対流を可能にするようなっているものである。
【請求項１７】
請求項１５記載のチャンバーにおいて、前記ハウジングは、前記構成材の騒音発生領域を実質的に包囲するよう前記構成材の周囲に設けられているものである。
【請求項１８】
請求項１５記載のチャンバーにおいて、当該チャンバー内に含まれる前記強磁性流体および前記構成材は第１の騒音減衰接触面を形成するものである。
【請求項１９】
請求項１５記載のチャンバーにおいて、前記強磁性流体は剪断音波の伝達を妨げるものである。
【請求項２０】
請求項１５記載のチャンバーにおいて、このチャンバーは、さらに、
前記強磁性流体を冷却するための前記ハウジングに連結された熱交換部を有するものである。
【請求項２１】
請求項２０記載のチャンバーにおいて、前記熱交換部はヒートシンクである。
【請求項２２】
請求項２０記載のチャンバーにおいて、前記ハウジングは、前記コイルと前記熱交換部との間で前記強磁性流体の熱対流および磁気対流を促進するよう構成されているものである。
【請求項２３】
請求項２０記載のチャンバーにおいて、前記熱交換部はヒートシンクである。
【請求項２４】
請求項２０記載のチャンバーにおいて、前記チャンバー内に含まれる前記強磁性流体および前記熱交換部は第２の騒音減衰接触面を形成するものである。
【請求項２５】
請求項１５記載のチャンバーにおいて、前記構成材はコイルである。
【請求項２６】
請求項２５記載のチャンバーにおいて、前記コイルは強磁性コアを有するものである。
【請求項２７】
請求項２５記載のチャンバーにおいて、前記コイルは空芯を有するものである。
【請求項２８】
請求項１５記載のチャンバーにおいて、前記構成材は経頭蓋磁気刺激または磁気発作治療に関連してヒトの脳組織を刺激するものである。
【請求項２９】
請求項１５記載のチャンバーにおいて、前記磁場は第１の磁場であり、このチャンバーは前記ハウジングに近接して第２の磁場を生成する永久磁石をさらに有し、前記強磁性流体は前記第２の磁場に曝されると磁気対流を生じるものである。
【請求項３０】
請求項１５記載のチャンバーにおいて、このチャンバーは、さらに、前記コイルと前記熱交換部との間で前記強磁性流体を循環させるポンプ機構を有するものである。
【請求項３１】
請求項３０記載のチャンバーにおいて、前記ポンプ機構は、磁場の存在下で前記循環を生じさせる磁性材料である。
【請求項３２】
生体組織を刺激する上で十分な強度を有した磁場を生成する磁気刺激システムであって
、
前記磁場を生成する構成材と、
実質的に前記構成材の周囲に設けられたチャンバーと、
前記チャンバー内に含まれる強磁性流体と
を有する磁気刺激システム。
【請求項３３】
請求項３２記載のシステムにおいて、このシステムは、さらに、
前記強磁性流体を冷却するための熱交換部を有するものである。
【請求項３４】
請求項３３記載のシステムにおいて、前記熱交換部はヒートシンクである。
【請求項３５】
請求項３３記載のシステムにおいて、前記チャンバーは、前記コイルと前記熱交換部との間で前記強磁性流体の熱対流および磁気対流を促進するよう構成されているものである。
【請求項３６】
請求項３５記載のシステムにおいて、前記構成材により生成される前記磁場は、前記強磁性流体の磁気対流を駆動するものである。
【請求項３７】
請求項３２記載のシステムにおいて、前記チャンバーは前記構成材の周囲に設けられ、当該構成材の騒音発生領域を実質的に包囲するものである。
【請求項３８】
請求項３７記載のシステムにおいて、前記強磁性流体は剪断音波の伝達を妨げるものである。
【請求項３９】
請求項３７記載のシステムにおいて、前記チャンバー内に含まれる前記強磁性流体および前記磁気装置は第１の騒音減衰接触面を形成するものである。
【請求項４０】
請求項３２記載のシステムにおいて、前記構成材はコイルである。
【請求項４１】
請求項４０記載のシステムにおいて、前記コイルは強磁性コアを有する。
【請求項４２】
請求項４０記載のシステムにおいて、前記コイルは空芯を有する。
【請求項４３】
請求項３２記載のシステムにおいて、前記構成材は、経頭蓋磁気刺激または磁気発作治療に関連して組織を刺激するために使用されるものである。
【請求項４４】
請求項３２記載のシステムにおいて、このシステムは、さらに、
前記磁場の存在下で前記強磁性流体を第１の方向に循環させる磁性材料を有するものである。
【請求項４５】
請求項４４記載のシステムにおいて、この装置は、さらに、
前記強磁性流体が第２の方向に循環するのを防ぐバルブを有するものである。
【請求項４６】
請求項３２記載のシステムにおいて、前記熱交換部はヒートシンクである。
【請求項４７】
磁気装置を冷却する方法であって、
生体組織を刺激する上で十分な強度の磁場を前記磁気装置で生成する工程と、
前記磁場で対流を誘導することにより強磁性流体を循環させる工程と
を有する方法。
【請求項４８】
請求項４７記載の方法において、前記対流は前記磁気装置と熱交換部との間で生じ、当該方法は、さらに、
前記熱交換部で前記強磁性流体を冷却する工程を有するものである。
【請求項４９】
請求項４７記載の方法において、前記生体組織はヒトの脳組織である。
【請求項５０】
請求項４７記載の方法において、前記誘導される強磁性流体の対流は磁気対流および熱対流である。
【請求項５１】
請求項４７記載の方法において、この方法は、さらに、
永久磁石で第２の磁場を生成する工程と、当該第２の磁場で前記強磁性流体を循環させる工程とを有するものである。
【手続補正２】
【補正対象書類名】明細書
【補正対象項目名】００１１
【補正方法】変更
【補正の内容】
【００１１】
したがって、高電圧用途における強磁性流体による冷却機器、システム、および方法が必要とされている。より具体的には、強磁性流体を対流により循環させて、高電圧磁気装置を冷却する機器、システム、および方法が必要とされている。さらに具体的には、強磁性流体を使ってそのような高電圧磁気装置を冷却すると同時に、騒音も軽減する機器、システム、および方法が必要とされている。
この出願の発明に関連する先行技術文献情報としては、以下のものがある（国際出願日以降国際段階で引用された文献及び他国に国内移行した際に引用された文献を含む）。
【特許文献１】米国特許第４，０７８，３９２号明細書
【特許文献２】米国特許第６，０７４，３８５号明細書
【特許文献３】米国特許第６，６４１，５２０号明細書
【特許文献４】米国特許第３，６５８，０５１号明細書